(57)【要約】  ワイヤ供給装置（１）により、金属ワイヤ（Ｆ）を、機械（１００）に供給するためのシステムであって、金属ワイヤは、張力センサー（２５）によって検知される所望の張力で供給され、供給装置（１）は、アクチュエータ（１６、１７）によって駆動される少なくとも１個の回転部材（１４、１５）を有し、回転部材には、金属ワイヤが回転の一部分又は数回転だけ巻かれ、供給装置（１）は、制御ユニット（１８）の作用の下に、所定の張力で金属ワイヤを機械に供給するようになっており、前記システムには、金属ワイヤ（Ｆ）の少なくとも１つの物理的特徴を検知するための手段（５０、６０）が備わっており、検知手段（５０、６０）は、供給装置（１）の下流に配置され、検知された物理的特徴各々に関するデータを制御ユニット（１８）に提供するため、制御ユニット（１８）に接続され、制御ユニット（１８）は、金属ワイヤ（Ｆ）の張力を、少なくともほぼ前記基準値付近に維持ように調節する目的で、回転部材（１４、１５）に介入し、金属ワイヤ（Ｆ）の特徴が制御されるシステム。金属ワイヤ（Ｆ）の特徴は、少なくとも１つの寸法的及び／又は電気的特徴である。【選択図】図１
2015500190.tif 000002
【特許請求の範囲】
【請求項１】
ワイヤ供給装置（１）により、対応するワイヤボビンから繰り出される金属ワイヤ（Ｆ）を、機械（１００）に供給するためのシステムであって、前記機械（１００）は、巻線機などであり、金属ワイヤは、張力センサー（２５）によって検知される所望の張力で供給され、供給装置（１）は、アクチュエータ（１６、１７）によって駆動される少なくとも１個の回転部材（１４、１５）を有し、回転部材には、金属ワイヤが回転の一部分又は数回転だけ巻かれ、供給装置（１）は、制御ユニット（１８）の作用の下に、所定の張力で金属ワイヤを機械に供給するようになっており、前記システムには、金属ワイヤ（Ｆ）の少なくとも１つの物理的特徴を検知するための手段（５０、６０）が備わっており、検知手段（５０、６０）は、供給装置（１）の下流に配置され、制御ユニット（１８）に接続され、検知された物理的特徴各々に関するデータを制御ユニット（１８）に提供するようになっており、制御ユニット（１８）は、もしも前記データが予め設定した及び／又はプログラム可能な基準値と異なっている場合には、金属ワイヤ（Ｆ）の張力を調節する目的で、回転部材（１４、１５）に介入し、前記張力は、少なくともほぼ前記基準値付近に維持する目的で、調節され、すなわち、強められ又は弱められた後、一定に維持され、金属ワイヤ（Ｆ）の特徴が制御されるシステムにおいて、制御される物理的特徴が、金属ワイヤ（Ｆ）の直径などの少なくとも１つの寸法的特徴及び／又は金属ワイヤ（Ｆ）の電気的特徴であることを特徴とするシステム。
【請求項２】
検知手段（５０、６０）は、金属ワイヤの直径などの金属ワイヤの寸法的特徴を測定する部材、例えば光電子ゲージ又はレーザーゲージ、電子クリアリング装置など、及び金属ワイヤ（Ｆ）の抵抗／インピーダンスを測定する部材、例えばオーム検知装置など、のうちの少なくとも１つであることを特徴とする請求項１に記載のシステム。
【請求項３】
寸法的特徴を測定する部材は、供給装置（１）と機械（１００）との間に配置されていることを特徴とする請求項２に記載のシステム。
【請求項４】
金属ワイヤの電気抵抗を測定する部材は、機械（１００）に配置されていることを特徴とする請求項２に記載のシステム。
【請求項５】
金属ワイヤの電気抵抗を測定する部材は、この部材が最終製品と関連付けられている時に、金属ワイヤのこの物理的特徴を測定するようになっていることを特徴とする請求項４に記載のシステム。
【請求項６】
制御ユニット（１８）は、マイクロプロセッサーであるのが好ましく、アクチュエータ（１６、１７）によって発生し回転部材（１４、１５）にかかるトルクを、検知手段（５０、６０）によって検知された物理的特徴の関数として、調節するようになっており、前記張力は、対応するワイヤボビンから金属ワイヤを繰り出す張力よりも、場合により、大きい又は小さいことを特徴とする請求項１に記載のシステム。
【請求項７】
制御ユニット（１８）及び検知手段（５０、６０）は、機械（１００）と連携することを特徴とする請求項１に記載のシステム。
【請求項８】
検知手段（５０）は、機械（１００）と連携することを特徴とする請求項１に記載のシステム。
【請求項９】
検知手段（５０）は、供給装置（１）に直接固定されていることを特徴とする請求項１に記載のシステム。
【請求項１０】
前記制御ユニット（１８）及び前記張力センサー（２５）は、供給装置（１）と連携することを特徴とする請求項１に記載のシステム。
【請求項１１】
供給装置（１）は、電気機械タイプ又は電子タイプの何れかであることを特徴とする請求項１に記載のシステム。
【請求項１２】
金属ワイヤ（Ｆ）のコイルから繰り出される金属ワイヤ（Ｆ）を、機械（１００）に供給する方法であって、前記供給は請求項１に記載のシステムによって行われ、前記方法は、
金属ワイヤを、ワイヤボビンから取り出す工程と、
金属ワイヤを、張力センサー（２５）によって検知される所望の張力で、機械に供給するようになっている金属ワイヤ（Ｆ）を供給するための装置（１）に、金属ワイヤを供給する工程とを含み、張力センサー（２５）は、金属ワイヤの前記供給を制御し管理する制御ユニット（１８）に接続されており、供給装置（１）の下流では、制御ユニット（１８）に接続され、制御ユニット（１８）に検知した物理的特徴各々に関するデータを提供するようになっている検知手段（５０、６０）による金属ワイヤ（Ｆ）の少なくとも１つの物理的特徴の検知が行われ、制御ユニット（１８）は、前記データが予め設定した及び／又はプログラム可能な基準値と異なる時に供給張力を調節するアクチュエータを通じて金属ワイヤ（Ｆ）の供給を管理及び制御し、張力の調節は、供給装置（１）から出る金属ワイヤ（Ｆ）の張力を小さく或いは大きくし、その後、維持の目的で、前記張力を一定の状態に、少なくとも前記基準値の付近に維持し、金属ワイヤ（Ｆ）の特徴が制御される方法において、金属ワイヤ（Ｆ）の制御される物理的特徴が、金属ワイヤの直径などの寸法的特徴、及び金属ワイヤ（Ｆ）のオーム抵抗などの電気的特徴のうちの少なくとも１つであることを特徴とする方法。
【請求項１３】
基準値は、基準として用いられ機械（１００）によって選択されたサンプル品の特徴の値であり、このサンプル品は、金属ワイヤの電気的特徴を測定する部材（６０）に接続されており、前記部材（６０）は、最終製品に関連する金属ワイヤの検知された電流の値を、サンプル品に関連する金属ワイヤの検知された電流の値と比較することを特徴とする請求項９に記載の方法。
【請求項１４】
物理的特徴の検知が、代わりに、機械から得られた製品に関連する金属ワイヤ（Ｆ）又は機械に向けられた金属ワイヤ（Ｆ）に介入することにより行われることを特徴とする請求項１２に記載の方法。
【請求項１５】
制御ユニット（１８）は、供給装置（１）から出て機械（１００）に向けられる金属ワイヤ（Ｆ）の張力を調節する目的で、供給装置（１）に取り付けられた、自身のアクチュエータ（１６、１７）により駆動される回転部材（１４、１５）に介入し、調節された後一定に維持される前記張力は、張力センサー（２５）によって制御されることを特徴とする請求項１２に記載の方法。
【発明の詳細な説明】
【技術分野】
【０００１】
対応する独立形式の請求項の公知要件事項部に記載の金属ワイヤを機械に供給するためのシステム及び方法が、本発明の目的を構成する。
【０００２】
独立形式の請求項の公知要件事項部に示されたシステム及び方法の特徴は、米国特許出願公開第２００９／１７８７５７号から公知である。
【背景技術】
【０００３】
種々な形状のものがあり、種々な材料からなり、最終製品の一部となり、又は（温度により自己固結化するワイヤ（ｔｅｍｐｅｒａｔｕｒｅ  ｓｅｌｆ−ｃｅｍｅｎｔｅｄ  ｗｉｒｅ）を用いて作られる「空気で間隔をおいたコア（ａｉｒ−ｓｐａｃｅｄ  ｃｏｒｅｓ）」と呼ばれるコアの場合のように）製造工程の間にだけ用いられる物理的支持体に、金属ワイヤを巻くことが要求される多数の工業的プロセス（電動モーター、コイルの製造など）が知られている。
【０００４】
いろいろな形状のものであり、いろいろな材料からなり、最終製品の一部であり、又は  前記のプロセスでは、最終製品の一定性及び品質を保証するために、張力を制御することが重要である。例えば、張力の適正な制御が、高品質の方形コイルの製造を保証し、そのため、金属ワイヤが、支持体に存在する角（かど）の付近でも、支持体自体に正確に付着して、本技術分野で通常「緩いバネ」（loose spring）と呼ばれる事態を防止できるようにしている。
【０００５】
加えて、金属ワイヤにかかる張力は、例えば、金属ワイヤの伸びを、したがって金属ワイヤの断面の減少を引き起こすことがある。そのため、最終製品に存在する金属ワイヤの断面及び長さが変化すると、最終製品自体の全抵抗が変化し、金属ワイヤの抵抗Ｒは、オームの第２法則において特定されているように、
Ｒ＝ρ・ｌ／Ｓ
ここで：
ｌは、メートル単位で測定したワイヤの長さであり、
Ｓは、ｍｍ２単位で測定した断面積であり、
ρは、オームメートル単位で測定した、材料の電気抵抗率（比抵抗又は抵抗率とも呼ばれる）である、
実際に、金属ワイヤの長さに正比例し、金属ワイヤの断面に反比例する。
【０００６】
張力の制御は、コイル製造の初期工程の間、極めて重要であり、斯かる工程では、金属ワイヤが末端部に巻かれ、次いで、これらの末端部には、金属ワイヤが末端部にしっかりと固着して金属巻き付けワイヤが外れないよう、金属ワイヤが溶接される（巻き付け巻き付け工程）。さらに、自動機械によって行われる巻き付け過程の間、連続する２つの別個のコイルの巻き付けは、仕上がったコイル、すなわち、ワイヤが巻き付けられた支持体を取り出す工程と、新しいコイルの巻き付けと準備（ｐｒｅｄｉｓｐｏｓｉｔｉｏｎ）を開始するための新しい支持体を装填する工程とを、含んでいる。斯かる操作は、（オペレーターにより）手動で行っても又は自動的に行ってもよく、自動的に行う場合には、操作は、金属ワイヤの切断及び金属ワイヤが既に巻き付けられた支持体が固定されたアームの機械的動きを含んでいる（本明細書で以下に装填工程と称する工程）。装填工程の間、例えば、後続の製造工程を再開する時に問題を引き起こすことのある何らかの緩みが生じないよう、金属ワイヤの張力を制御することが重要である。
【０００７】
張力をかける通常の範囲は、金属ワイヤの直径の関数として、５〜４０００ｃＮ（センチニュートン）で変化し、明らかに、金属ワイヤの直径が小さいほど、作業張力が低く、巻き付け工程の間の張力の制御がより重要になる。
【０００８】
公知の種類の、前記の制御をすることのできるワイヤ専用の供給装置（又は単に供給手段）がある。
【０００９】
斯かる供給装置の第１の種類は、全面的に機械的な供給手段を備えているが、これらは、いろいろな欠点を露呈する。
【００１０】
張力を調節するための斯かる装置は、全課程の間、手動で調節をし、場所ごとに制御しなければならない。過程の間に生じ得るエラー（ワイヤボビンから来る金属ワイヤの入力張力の変動、バネのうちの１つの損傷又は較正不良（ｄｅｃａｌｉｂｒａｔｉｏｎ）、入力ワイヤ制動手段内の埃の堆積、など）を修正することができないのが、「開ループシステム」である。
【００１１】
加えて、前記の種類の供給装置では、１つだけの作業張力の設定がなされるので、巻き包み工程のため、作業工程のため及び装填工程のための異なる張力を設定する可能性がない。
【００１２】
そのような設定された張力は、巻き付け速度にもより、このことが、そしてまた前記巻き付け速度の関数である摩擦張力に部分的に起因しているとすると、機械の加速及び減速の工程の間、かなりの張力の変動が見られる。
【００１３】
斯かる張力の変動は、最終製品の品質に悪影響を与え、巻かれた金属ワイヤの抵抗値及びインピーダンス値の変動も引き起こす。
【００１４】
最後に、全面的に機械で作動する供給装置は、単一の装置としては、一般的な金属ワイヤが機械に供給される張力の範囲全体を満足させることができない。そのため、これが、あらゆる種類の金属ワイヤを処理することができるよう、幾つかの供給装置を備えること又は供給装置の一部を機械的に変更することを強いることになる。
【００１５】
完全に機械的な供給装置とは反対に、回転滑車が固定された電動モーターを有する装置又は電気機械的供給手段も知られており、回転滑車には、ワイヤボビンから来る金属ワイヤが、フェルト製ワイヤ制動手段を通過した後、カウンタースプリングの影響下にある可動のメカニカルアームに達する前に、少なくとも１回転巻かれる。電子制御ユニットは、モーターの作動の制御のほかに、メカニカルアームの位置を測定することができ、前記位置の関数として、電子制御ユニットは、モーターの速度を、したがって、ワイヤの供給速度を、（実際には、加速及び制動コマンドのように、メカニカルアーム自体を用いて）上昇又は低下させる。
【００１６】
これらの供給装置も、それらが、ワイヤに張力をかけるのに可動のメカニカルアームを使用し、最終製品の実際の制御なしに「開ループ」として作動すると仮定すれば、先に述べた完全に機械的な供給装置の限界を露呈する。
【００１７】
最後に、電子制動装置が知られており、電子制動装置は、リカバリー可動アームのほかに、供給装置から出たところに配置されているロードセル（又は任意の他の同等の張力検知部材）、及び一般的に補償アームの上流の予備制動装置を調節するため、検知された張力値を用いて供給装置を制御するためのユニットも備えている。解決策が、例えばヨーロッパ特許第０４２４７７０号に記載されている。
【００１８】
前記装置のある問題は、解決できても、斯かる解決策は、いろいろな限界を露呈する。例えば、前記装置は、閉ループの態様で作動しているが、斯かる部材がワイヤを制動することができるだけで、そのため斯かる張力を強めることしかできないので、ワイヤボビンから繰り出す張力よりも低い張力でワイヤを供給することができない。
【００１９】
イタリア特許出願第ＭＩ２０１１Ａ００１９８３号は、閉ループ供給を制御することにより、金属ワイヤの張力を測定しながら、かつ、場合によりプログラム可能な予め設定した値に、金属ワイヤの張力をならしながら（金属ワイヤの張力を弱め又は強めながら）、金属ワイヤを供給することのできる装置を開示している。そのため、この装置は、金属ワイヤを制動することができるだけでなく、対応する供給源としてのワイヤボビンからの金属ワイヤの繰り出しの張力よりも弱い（強くないという程度ではない）張力で金属ワイヤを供給することもできる。
【００２０】
この公知の装置は、金属ワイヤが供される全プロセスの間、同じ金属ワイヤの供給張力を設定することができ、又は金属ワイヤが、機械の異なる作業工程（巻き付け工程、作業工程、装填工程）で、異なる張力を有するように変更することができ、これは、全面的に自動的な態様で又は機械と連動することにより行われる。
【００２１】
この装置又は供給装置は、最適に作動しているとしても、供給される一般的な金属ワイヤの張力を、金属ワイヤが装置自体を離れる前に、制御し調節する。しかしながら、金属ワイヤの張力が、供給装置を離れた後、機械までの金属ワイヤの行程の間に、特に、例えばワイヤガイドと一般に呼ばれ、前記金属ワイヤを供給装置から機械が実際に金属ワイヤを処理する場所へと案内する目的を有する或る機械的通路に起因して、変動することが起こり得る。実際に、前記行程の間に存在する摩擦により、供給装置から出る金属ワイヤの張力と作業位置に近い金属ワイヤの張力との間には違いがある。そのため、前記の違いは、供給された金属ワイヤにおける物理的変化（断面及び長さの変化）を引き起こすことがあり、したがって、最終製品の抵抗値を変化させる。
【００２２】
そのような状態では、公知の前記供給装置は、前記欠点を防止するため独自に介入することができず、そのため、前記供給装置は、前記供給装置の下流で生じた事を、その事が前記供給装置の制御ループの部外事項であるため、自動的に正確に補償することができない。加えて、金属ワイヤの起こり得る物理的変化は、定期的に生じるわけではない状態なので、この状態は予測不可能である（時間と共に変化しやすい）。例えば、機械的通路（ワイヤガイド）によって生じる摩擦を考慮すると、この状態は時間と共に変化しやすく、機械的通路（ワイヤガイド）は、例えば金属ワイヤ上に存在する潤滑油の量又は金属ワイヤが摺動する間に金属ワイヤが蓄積する潤滑剤の量の関数として、摩擦の発生率を変化させることがあるためである。
【００２３】
同様に、供給装置の上流の金属ワイヤの繰り出し張力の変化が、金属ワイヤの物理的特徴（断面、長さ、抵抗）の変化を引き起こすことがあり、そのため、最終製品の抵抗値の変化を引き起こす。これは、金属ワイヤを一定の張力で供給しているにもかかわらず、前記の現象が、供給装置によって作動される張力制御ループの部外事項だからである。
【００２４】
同様の難点が、製造過程に用いられる金属ワイヤ自体の製造ばらつきによって引き起こされることがある。
【発明の概要】
【発明が解決しようとする課題】
【００２５】
本発明の目的は、金属ワイヤを加工する機械に供給される金属ワイヤの張力の理想的な制御を、供給される金属ワイヤの特徴にかかわりなく、毛細ワイヤ（ｃａｐｉｌｌａｒｙ  ｗｉｒｅ）の場合にも、得ることができる方法及びシステムを提供することである。
【００２６】
特に、本発明の目的は、完成品としての金属ワイヤに悪影響を与えることのある物理的変化を防止するため、金属ワイヤを処理する機械まで金属ワイヤの張力を一定に維持することができる前記の種類のシステムを提供することである。
【００２７】
本発明のさらに別の目的は、全範囲にわたる金属ワイヤを操作し、金属ワイヤが受ける張力を操作することができる単一のシステムを提供することである。
【課題を解決するための手段】
【００２８】
本発明のこれらの目的及び当業者には明らかになるであろう他の目的は、添付の特許請求の範囲による金属ワイヤを機械に供給するためのシステム及び方法によって達成される。
【００２９】
本発明のより良い理解のために、単に非限定の例示として、以下の図面を添付する。
【図面の簡単な説明】
【００３０】
【図１】本発明による金属ワイヤを供給するためのシステムの概略正面図を示している。
【図２】図１のシステムの、図１の線２−２に沿う断面図を示している。
【発明を実施するための形態】
【００３１】
前記の図面を参照すると、例示として、イタリア特許出願第MI2011A001983号に記載の金属ワイヤを供給するための装置が、それらの図面に示されている。そのため、本発明における供給装置は、ワイヤの張力を制御し積極的に調節するための手段、すなわち、本明細書の導入部分で先に述べたような電気機械装置又は電子装置を備えている限り、任意の他の公知の種類のものでよいことは明らかである。図面の本発明における供給装置は、全体を１で示され、前面３と側面４及び５を有する本体すなわちケーシング２を備えている。これらの側面は、覆うための要素によって閉じられており、それらの要素のうちの１つ（側面４の要素）は、本体２の内部が分かるように、図２には示していない。
【００３２】
前面３には又は前面３に取り付けられて前面から突出した、（図１を参照すると、本体２の下部から始まる）支持体７及び８があり、支持体７及び８は、平行で、それぞれの支持体に固定されたピンを中心に自由に回転する対応する溝付きローラー９又は１０を担持している。各ローラー９、１０は、セラミック材料からなっているのが好ましく、ワイヤボビン（図示せず）から本発明における供給装置１へ及び本発明における供給装置から機械１００へのワイヤFの軌跡を規定する目的を有している。ローラーがセラミック材料からなっている（又は低い摩擦係数を有する同等の材料からなっている）ことは、ワイヤとローラーとの間の摩擦を最小限にして、接触中にワイヤが損傷する可能性を最小限に減らす目的を有している。
【００３３】
本体２は、ローラー９の出口でワイヤFが協働するワイヤ制動手段１２を備えており、ワイヤ制動手段は、本発明における供給装置に入るワイヤを安定化させ、（先の作動的引き出し工程によってもたらされる）残留していることのあるパラフィンを除去するため、普通のフェルト（図示せず）を用いてワイヤを清掃する役割を有している。ワイヤ制動手段１２を出る上記のワイヤは、第２の滑車１５に移行する前に、ワイヤが（回転の一部分又は数回転分）巻き付けられる第１の滑車１４に行き着く。前記滑車は何れも、（それぞれ）本体２に取り付けられたそれらの電動モーター１６及び１７によって駆動され、電動モーターは、その作動が、やはり前記本体に取り付けられた制御ユニット１８によって制御され管理される。
【００３４】
本体には、可動のリカバリーアーム又は補償器２０が、固定されており、リカバリーアーム又は補償器２０は、自由端２１に、ワイヤFのための通路を有しており、この通路には、（やはりセラミック材料などからなる）ローラー２２を用いることが好ましく、滑車１５を出る（そして本体２のウインドウ２Aを通過する）ワイヤFが到達する。前記可動のリカバリーアーム２０は、本体２の内側の本体２の前面３の後ろに位置している。
【００３５】
ローラー２２（又は同等の固定された通路部材）から、ワイヤは、ウインドウ２を通過し、このようにして、やはり制御ユニット１８に接続された張力センサー２５、例えばローディングセル、に移行し、ワイヤは、張力センサーから出てローラー１０に移行し、機械に供給される。
【００３６】
制御ユニット１８は、張力センサー２５を通じてワイヤの張力を測定し、滑車１４及び１５の回転速度を、それぞれの電動モーター１６及び１７に作用して、修正することができ、したがって、ワイヤ自体の張力を制御して場合によりプログラム可能な予め設定した値（例えば、機械１００内でワイヤＦが受けるいろいろな作業工程の関数として）にならすことができ、場合によりプログラム可能な予め設定した値を、１以上の張力データ、例えば上記の対応するいろいろな作業工程が表になって書き込まれた記憶装置を有する（又は斯かる記憶装置と協働する）、マイクロプロセッサーとしてよい制御ユニット１８において設定することができる。
【００３７】
前記の予め設定した張力値は、ワイヤボビンからワイヤを繰り出すための張力よりも大きい又は小さいことがある。
【００３８】
本体２はまた、制御ユニット１８によって制御されるディスプレー３３を担持しており、ディスプレーを通じて本発明における供給装置の作動状態（測定した張力、予め設定した張力、供給速度、等）が表示される。前記ディスプレー装置には、キーボード３４を用いて設定することのできる作動パラメーターも示される。
【００３９】
本体２は、本発明における供給装置に電力を供給できるようにするコネクタ（図示せず）も備えており、コネクタは、標準的な又は独占所有権のあるフィールドバス（ＲＳ４８５、ＣＡＮＢＵＳ、ＥＴＨＥＲＮＥＴ等）を通じて本発明における供給装置と連絡し、本発明における供給装置の状態（測定した張力、速度、あり得るアラーム状態）を読み取る、又は本発明における供給装置の作動（作業張力、作動モード、等）をプログラムする。前記本体はまた、作業張力をアナログモードでプログラムするための０〜１０直流電圧（Ｖｄｃ）の入力装置及び機械が作動モードにあるかどうかを本発明における供給装置に示すための開始−停止入力装置、さらに１個以上のデジタル入力装置であって、これにより、機械の異なる作業工程（巻き付け工程、作業工程、装填工程、等）の関数として、異なる作業プログラムがプログラムされるデジタル入力装置を備えている。
【００４０】
本発明における供給装置１には、特に、制御ユニット１８には、ワイヤＦの直径を測定することのできる少なくとも１個の部材５０及び／又はワイヤＦを含む最終製品（例えば電気コイル）のインピーダンス値（又は抵抗）を測定することのできる部材６０が、接続されている。
【００４１】
より詳細には、直接的又は間接的に制御ユニット１８と接続されている部材５０は、本発明における供給装置１と機械１００との間の任意の場所に配置される。これは、電子ゲージ、例えば光学電子ゲージ又はレーザー電子ゲージ、電子クリアリング装置又は同様の部材などの、ワイヤFの直径を測定するための部材の場合である。
【００４２】
部材６０について言えば、この部材６０は、ワイヤFを用いて得られたコイルの抵抗又はインピーダンス検知器、例えばオーム検知器（ｏｈｍ  ｄｅｔｅｃｔｏｒ）である。この部材６０もまた、部材５０のように、直接的又は間接的に制御ユニット１８と接続されている。この接続は、制御ユニット１８と前記部材（５０又は６０）との間の任意の通信チャンネル、例えばフィールドバス（ＲＳ４８５、ＣＡＮＢＵＳ、ＭＯＤＢＵＳ、ＰＲＯＦＩＢＵＳ、など）又は２つの要素に備わっている特定の入力装置（アナログ入力装置０〜１０Ｖ、入力装置４〜２０ｍＡ、デジタル入力装置など）を通じて行うことができる。
【００４３】
機械への供給中、金属ワイヤが、極めて高い張力を受けると、金属ワイヤは延ばされ、そのため、斯かる張力は、金属ワイヤの直径を変えることが知られている。金属ワイヤの直径が変化すると、金属ワイヤ自体の特性（特に、電気抵抗などの電気的特性）も変化する。
【００４４】
金属ワイヤＦに過剰にかかる張力に関するこの欠点を防止する目的で、本発明は、本発明における供給装置１の下流での金属ワイヤの直径の検知を提供するので、こうした制御により、金属ワイヤの直径の許容することのできない変化を防止する目的で、本発明における供給装置は、本発明における供給装置１によって金属ワイヤにかけられる張力を適正に調節することができる。
【００４５】
直径の検知と同様に、直径の検知に加えて又は直径の検知の代わりに、金属ワイヤを加工する場所に存在する周囲の状態（例えば、作業環境自体の温度の変化）に関連する金属ワイヤの抵抗又はインピーダンスの起こり得る変化の検知を行ってもよい。これは、機械１００によって選択されたサンプル基準品が接続された（それ自体は公知の種類のものである）インピーダンス測定部材によって行われる。このサンプル基準品は、後続の全製品を制御し、それらの製品と比較するための基準として用いられる。
【００４６】
本発明における供給装置１の下流で行われる金属ワイヤの物理的特徴の２つの検知のうちの少なくとも１つ（要するに、部材５０による寸法的特徴の検知又は部材６０による電気的特徴の検知）、及び、前記本発明における供給装置の制御ユニット１８よる前記部材から検知されたデータの使用により、本発明における供給装置は、少なくともほぼ、場合によりプログラム可能な所定の値に近い又は基準サンプルに匹敵する制御された特徴の対応する値を維持する目的で、適正かつ一定の張力で金属ワイヤを機械に送ることができる。
【００４７】
そのため、本発明の対象である装置は、部材５０及び／又は６０が受けた情報を用いて第２の調節ループを閉ループ化することができる。
【００４８】
例えば、もしも部材５０が、金属ワイヤの直径の減少を検知すると、制御ユニット１８は、対応するデータを受け取り、公知の制御アルゴリズムＰ、ＰＩ、ＰＤ、ＰＩＤ又はＦＯＣ（ベクトル制御）に従いモーター１６及び１７に作用して、金属ワイヤの張力値を修正する（張力値を下げる）目的で、部材５０が金属ワイヤの直径の予め設定した値への対応する修正（増加）を検知することができるよう、それらのモーターを加速又は減速させる。同様に、もしも部材６０が、最終製品の電気特性の変化を検知すると、部材６０は、既述ように、前記電気特性を、場合によりプログラム可能な選択した値に戻すよう、金属ワイヤの張力を修正する制御ユニット１８に、信号を送信する。本発明における供給装置１は、この第２の調節ループを閉ループ化することを保証することができ、金属ワイヤの物理的特徴（長さ、断面、抵抗、など）を変えることなしに、金属ワイヤを供給することができる。このような本発明における供給装置は、所望の特徴の値を保証するため、金属ワイヤが巻かれる滑車１４及び１５を作動させる２個のモーター１６及び１７のトルクを制御して金属ワイヤの張力を調節する。そのため、本発明における供給装置は、出て行く金属ワイヤの（張力センサー２５によって制御される）張力が、２個のモーター１６及び１７の速度を制御することにより、ワイヤボビンから繰り出される時に存在する金属ワイヤの張力よりも大きい又は小さいことを保証することができ、したがって、本発明における供給装置１の下流の金属ワイヤの所望の物理的特徴を維持することができる。
【００４９】
明らかに、本発明における供給装置１（及び、特にイタリア特許出願第ＭＩ２０１１Ａ００１９８３号に記載の図面の主題である供給装置）はまた、供給装置の制御及び調節ループを通じて、金属ワイヤの張力を一定で場合によりプログラム可能な値と同等に維持する目的で、供給装置自体から出る金属ワイヤＦの張力を調節することができる。これは、前記金属ワイヤの張力を調節するモードにかかわりなく、部材５０又は６０から制御ユニット１８に届くデータに基づいて行われる。
【００５０】
本発明の実施の形態を説明してきたが、他の可能な実施の形態（例えば、制御ユニット１８若しくは張力センサー２５が、本発明における供給装置の本体２に取り付けられていない実施の形態、部材５０及び６０が、制御ユニット１８にも同様に当てはまるが、機械に組み込まれている実施の形態、又は部材５０が、本発明における供給装置１の下流に配置されているが、本発明における供給装置に直接固定されている実施の形態など）が、以下の特許請求の範囲の保護の範囲から逸脱することなしに可能である。
【図１】
2015500190.tif 000003
【図２】
2015500190.tif 000004
【手続補正書】
【提出日】平成26年6月3日(2014.6.3)
【手続補正１】
【補正対象書類名】明細書
【補正対象項目名】０００５
【補正方法】変更
【補正の内容】
【０００５】
加えて、金属ワイヤにかかる張力は、例えば、金属ワイヤの伸びを、したがって金属ワイヤの断面の減少を引き起こすことがある。そのため、最終製品に存在する金属ワイヤの断面及び長さが変化すると、最終製品自体の全抵抗が変化し、金属ワイヤの抵抗Ｒは、オームの第２法則において特定されているように、
Ｒ＝ρ・ｌ／Ｓ
ここで：
ｌは、メートル単位で測定したワイヤの長さであり、
Ｓは、ｍｍ２単位で測定した断面積であり、
ρは、オームメートル単位で測定した、材料の電気抵抗率（比抵抗又は抵抗率とも呼ばれる）である、
実際に、金属ワイヤの長さに正比例し、金属ワイヤの断面積に反比例する。
【手続補正２】
【補正対象書類名】明細書
【補正対象項目名】００４２
【補正方法】変更
【補正の内容】
【００４２】
部材６０について言えば、この部材６０は、ワイヤFを用いて得られたコイルの抵抗又はインピーダンス検知器、例えばオーム検知器（ｏｈｍ  ｄｅｔｅｃｔｏｒ）である。この部材６０もまた、部材５０のように、直接的又は間接的に制御ユニット１８と接続されている。この接続は、制御ユニット１８と前記部材（５０又は６０）との間の任意の通信チャンネル、例えばフィールドバス（ＲＳ４８５、ＣＡＮＢＵＳ、ＭＯＤＢＵＳ、ＰＲＯＦＩＢＵＳ、など）又は２個の部材５０、６０に備わっている特定の入力装置（アナログ入力装置０〜１０Ｖ、入力装置４〜２０ｍＡ、デジタル入力装置など）を通じて行うことができる。
【手続補正３】
【補正対象書類名】図面
【補正対象項目名】図１
【補正方法】変更
【補正の内容】
【図１】
2015500190.tif 000005
【国際調査報告】
2015500190.tif 000006
2015500190.tif 000007
2015500190.tif 000008